(57)【特許請求の範囲】
【請求項１】
複数種類の光ディスクの記録及び再生を行うプログラムを格納する記憶手段と、
前記複数種の光ディスクの中の少なくとも一種の光ディスクを指定するコマンドをパーソナルコンピュータから入力する接続手段と、
前記コマンドが指定する種類の光ディスクに対応するプログラムを選択して前記光ディスクの記録及び再生の制御を行う制御手段と、を具備し、
前記記憶手段は前記複数種類の光ディスクの記録及び再生を行うプログラムの組合わせを示す制御パラメータを格納し、
前記接続手段は前記コマンドと共に制御パラメータを入力し、
前記制御手段は前記入力した制御パラメータに対応する所定の種類のプログラムの組合わせを選択することを特徴とする光ディスク装置。
【請求項２】
前記記憶手段は、装置本体を制御するメインプログラムを格納し、
前記制御手段は前記入力した制御パラメータを前記記憶手段に書込み、前記メインプログラムを起動する際前記書き込まれた制御パラメータに対応する所定の種類のプログラムの組合わせを選択することを特徴とする請求項１記載の光ディスク装置。
【発明の詳細な説明】
【技術分野】
【０００１】
本発明は、ネットワーク接続されたパーソナルコンピュータ等を管理する情報システム管理者がセキュリティ対策のため、パーソナルコンピュータに搭載した光ディスク装置などの記憶装置にデータを記録することを制限し、秘密情報を保護することを目的としたセキュリティ対応が可能な光ディスク装置および光ディスク装置の機能設定方法に関するものである。
【背景技術】
【０００２】
近年パーソナルコンピュータには、プログラムなどをインストールするためやデータの受け渡し用として、また音楽や映像を楽しむ目的として、再生専用のＣＤ、ＤＶＤドライブが搭載されたものや、リムーバブル記憶装置としてデータを記録可能な光ディスク装置である記録型ＣＤ（ＣＤ−Ｒ、ＣＤ−ＲＷなど）や記録型ＤＶＤ（ＤＶＤ−Ｒ、ＤＶＤ−ＲＡＭなど）などが搭載されてきている。これらの光ディスク装置は、再生専用のＣＤ−ＲＯＭ、ＤＶＤ−ＲＯＭや、コンボドライブとよばれるＣＤ−Ｒ／ＲＷによる書き込みとＤＶＤ−ＲＯＭの読み込みに対応したドライブ、マルチドライブと呼ばれるＤＶＤ−Ｒ／−ＲＷ／−ＲＡＭの読み書きが可能な記録型ＤＶＤドライブとＤＶＤ−ＲＯＭの読み込みに対応したドライブ、スーパーマルチ（登録商標）ドライブと呼ばれるＤＶＤ±Ｒ／±ＲＷ／−ＲＡＭとすべての記録型メディアを読み書きに対応したドライブなどがあり、パーソナルコンピュータ組み込み対応の光ディスク装置は、光ディスクに記録できるドライブが搭載されるのが一般的となってきている。
【０００３】
社内などのパーソナルコンピュータは、ネットワーク接続（ＬＡＮ接続）され、ＬＡＮに接続されるパーソナルコンピュータも光ディスクに記録できるドライブが搭載されていることが多い。また、ＬＡＮでは、サーバを設置してこれらのサーバにファイルを保存している場合があり、セキュリティ対策をして個別にアクセス制限をしたり、共用ホルダを設けてある程度のアクセスを許容している場合がある。
【０００４】
ＬＡＮ内部に接続されたパーソナルコンピュータは、個人別に各人が１台所有することが一般的である。これらのパーソナルコンピュータに搭載された光ディスク装置は、プログラム更新等のための読取り用や、収集した実験データのような所望のデータを記録し配布などの目的で搭載されている。
【０００５】
ところが、全てのパーソナルコンピュータに記録可能な光ディスク装置を搭載すれば、誰でも光ディスクにデータ記録することができるようになり、不用意に秘情報を流出する可能性が考えられ、セキュリティ上の対応が必要である。情報の提供者に無断で情報が違法に複製され、不正に使用されることから情報を保護することを目的としたセキュリティデバイス、情報再生方法、情報記録方法、情報保護方法、情報記録再生システムおよび情報配信方法に関する文献として（特許文献１）がある。
【特許文献１】特開２００２−２３６６２１号公報
【発明の開示】
【発明が解決しようとする課題】
【０００６】
しかしながら、パーソナルコンピュータの使用する目的に応じてセキュリティを設定し、搭載する光ディスク装置のモデルを変え、読み取り専用の光ディスク装置を搭載したり、記録可能光ディスク装置を搭載したりして、予め光ディスクの搭載種類を設定すれば不用意な秘情報の流出に対処できるが、パーソナルコンピュータもしくは搭載する光ディスク装置を使用する目的に応じて都度変更するのは管理が煩雑であった。
【０００７】
そこで、本発明においては、複数種類の光ディスクの記録及び再生を行う機能を有する光ディスク装置を搭載し、光ディスク装置の使用目的に応じて、パーソナルコンピュータの管理者が所望に光ディスク装置の機能を設定することができる光ディスク装置を提供することを目的とする。
【課題を解決するための手段】
【０００８】
本発明においては、かかる課題を解決するために、複数種類の光ディスクの記録及び再生を行うプログラムを格納する記憶手段と、複数種の光ディスクの中の少なくとも一種の光ディスクを指定するコマンドをパーソナルコンピュータから入力する接続手段と、コマンドが指定する種類の光ディスクに対応するプログラムを選択して光ディスクの記録及び再生の制御を行う制御手段と、を具備したことにより予め複数種類の光ディスクの記録かつ再生が可能な光ディスク装置をパーソナルコンピュータに搭載しておけば、使用目的に応じて、搭載された光ディスク装置の機能を、例えば、光ディスクの再生機能のみとか、光ディスクへ情報の記録も可能とかいうように所望に設定できるようになり、パーソナルコンピュータの管理者が設定できるようになるので、セキュリティ上管理が容易になる。また、記憶手段は複数種類の光ディスクの記録及び再生を行うプログラムの組合わせを示す制御パラメータを格納し、接続手段はコマンドと共に制御パラメータを入力し、制御手段は入力した制御パラメータに対応する所定の種類のプログラムの組合わせを選択することにより、複数種類の光ディスクの記録及び再生を行うプログラムの組合わせを選択できるようになり、使用目的に応じて、搭載された光ディスク装置の機能を所望に設定できるようになり、特にパーソナルコンピュータの管理者が所望に設定できるようになるのでセキュリティ上管理が容易になる。
【発明の効果】
【０００９】
本発明の光ディスク装置によれば、情報システム管理者が使用するパーソナルコンピュータの所有者の使用する目的にあわせて任意に光ディスク装置のタイプを変更ができるので、セキュリティレベルに合わせて再生専用の光ディスク装置と設定したり記録再生ができる光ディスク装置と設定したりすることができ、パーソナルコンピュータ毎に新たに光ディスク装置自体を変更することなく、パーソナルコンピュータの管理者がソフトで設定管理することができるようになる。また、複数種類の光ディスクの記録及び再生を行うプログラムの組合わせを選択できるようになり、使用目的に応じて、搭載された光ディスク装置の機能を所望に設定できるようになり、特にパーソナルコンピュータの管理者が所望に設定できるようになるのでセキュリティ上管理が容易になる。
【発明を実施するための最良の形態】
【００１０】
請求項１記載の発明は、複数種類の光ディスクの記録及び再生を行うプログラムを格納する記憶手段と、複数種の光ディスクの中の少なくとも一種の光ディスクを指定するコマンドをパーソナルコンピュータから入力する接続手段と、コマンドが指定する種類の光ディスクに対応するプログラムを選択して光ディスクの記録及び再生の制御を行う制御手段と、を具備したことにより予め複数種類の光ディスクの記録かつ再生が可能な光ディスク装置をパーソナルコンピュータに搭載しておけば、使用目的に応じて、搭載された光ディスク装置の機能を、例えば、光ディスクの再生機能のみ、または、光ディスクへ情報の記録も可能というように所望に設定できるようになり、特にパーソナルコンピュータの管理者が所望に設定できるようになるのでセキュリティ上管理が容易になる。また、記憶手段は複数種類の光ディスクの記録及び再生を行うプログラムの組合わせを示す制御パラメータを格納し、接続手段はコマンドと共に制御パラメータを入力し、制御手段は入力した制御パラメータに対応する所定の種類のプログラムの組合わせを選択することにより、複数種類の光ディスクの記録及び再生を行うプログラムの組合わせを選択できるようになり、使用目的に応じて、搭載された光ディスク装置の機能を所望に設定できるようになり、特にパーソナルコンピュータの管理者が所望に設定できるようになるのでセキュリティ上管理が容易になる。
【００１２】
請求項２記載の発明は、装置本体を制御するメインプログラムを格納し、制御手段は入力した制御パラメータを記憶手段に書き込み、メインプログラムを起動する際書き込まれた制御パラメータに対応する所定の種類のプログラムの組合わせを選択することを特徴とする請求項１記載の光ディスク装置であり、光ディスクの記録及び再生の制御を行う制御パラメータを記憶手段に格納しており、所望の設定時に一度コマンドを入力するだけで、指定する種類の光ディスクに対応するプログラムを選択して光ディスクの記録及び再生の制御をできるようになる。
【００１６】
以下、本発明の実施の形態について詳細に説明する。
【００１７】
（実施の形態１）
以下、本発明の実施の形態１について詳細に説明する。
【００１８】
図１は、本発明の実施の形態１に係わる光ディスク装置の構成を示したブロック図である。
【００１９】
図１に示すように、光ディスク装置１は、光ピックアップモジュール１２、スピンドルモータ１３、フィードモータ１４、サーボモジュール１５、信号制御部１６、ＣＰＵ１７、メインメモリ１８、バッファメモリ１９、インターフェース２０から構成されている。
【００２０】
そして、パーソナルコンピュータ１１１に接続され、光ディスク１１に記録されたデータをパーソナルコンピュータ１１１に出力したり、パーソナルコンピュータ１１１のデータを光ディスク１１出力したりできる構成としている。
【００２１】
光ピックアップ手段である光ピックアップモジュール１２は、レーザ発光素子（図示せず）を有し、光ディスク１１へのデータの記録及び再生時にレーザ光を照射し、情報の記録および情報の再生を行う。スピンドルモータ１３は、光ディスク１１の回転を行う。
【００２２】
光ピックアップの移動手段であるフィードモータ１４は、光ピックアップモジュール１２をスピンドルモータ１３に近づいたり離れたりして光ディスク１１の径方向に移動させることができる。サーボモジュール１５は、フィードモータ１４の移動制御およびスピンドルモータ１３の回転数を制御する制御手段である。
【００２３】
パーソナルコンピュータ１１１と光ディスク装置１の接続手段であるインターフェース２０は、パーソナルコンピュータ１１１とのデータ信号の送信および受信を行う。ＣＰＵ１７は記憶手段であるメインメモリ１８およびバッファメモリ１９を備え、メインメモリ１８は電気的にデータを書換え可能なフラッシュＲＯＭとし、バッファメモリ１９はＲＡＭとしている。メインメモリ１８にはプログラム（ファームウェア）が格納され、格納されたプログラムによりサーボモジュール１５の制御と信号制御部１６に対しての信号処理及びパーソナルコンピュータ１１１とのインターフェース２０の制御を行ない光ディスク１１の情報再生や、光ディスク１１への情報記録等を行う。
【００２４】
パーソナルコンピュータ１１１と光ディスク装置１とは、インターフェース２０で接続されており、パーソナルコンピュータ１１１からの制御信号たとえばＡＴＡＰＩパケットコマンドを基に光ディスク装置１はパーソナルコンピュータ１１１に対して応答し、光ディスク装置１の情報を読み込んだり、光ディスク装置１に情報を記録したりする。
【００２５】
パーソナルコンピュータ１１１と光ディスク装置１はケーブル１１２で接続されている。また、前記インターフェース２０は、ＳＣＳＩインターフェースや、ＩＤＥインターフェース等である。
【００２６】
パーソナルコンピュータ１１１からＡＴＡＰＩパケットコマンドを発行し、ＡＴＡＰＩパケットコマンドに続いてデータを光ディスク装置１に転送することができる。
【００２７】
従って、パーソナルコンピュータ１１１から光ディスク装置１にＡＴＡＰＩパケットインターフェースのコマンドで複数の種類の光ディスク１１に対応するプログラムを選択する制御パラメータを転送し、光ディスク装置１は受信したコマンドに基づく複数種類の光ディスクの記録及び再生を行うプログラムの組合わせを示す制御パラメータをメインメモリ１８に格納し、光ディスク装置１は、この制御パラメータを基に動作する。
【００２８】
図２は、本発明の実施の形態１に係わるパーソナルコンピュータの発行するコマンドと光ディスク装置の転送状態を示した図である。
【００２９】
図２に示すように、図２（ａ）に示すような一続きのデータを再生する場合、１つの再生コマンドで丸ごとデータの再生をするわけではなく、図２（ｂ）に示すように細かいデータに分割し、再生コマンド単位にして、転送する。このデータは２Ｋ〜６４ＫＢの細かいデータに分割している。パーソナルコンピュータ１１１側では、転送された再生データを受け取る。コマンドデータはパーソナルコンピュータ１１１と光ディスク装置１を接続するケーブル１１２を通り、ドライブ側のインターフェース２０で受信する。その後、メインメモリ１８に格納されたファームウェアがインターフェース２０からコマンドデータを取り出して解析し命令を実行する。
【００３０】
ＡＴＡＰＩパケットコマンドは先頭部分にＣＤＢ（Ｃｏｍｍａｎｄ  Ｄｅｓｃｒｉｐｔｏｒ  Ｂｌｏｃｋ）データが付加されており、このＣＤＢデータにコマンドの種類を規定するオペレーションコードが含まれている。コマンドの一例として、ＡＴＡＰＩコマンドのＭｏｄｅＳｅｎｓｅ／Ｓｅｌｅｃｔコマンドがあり、対応するＣＤＢのオペレーションコードを５Ａ（１６進数）が、光ディスク装置１の内容を参照、５５（１６進数）が光ディスク装置１の内容を設定するコマンドであり、それぞれＣＤＢにて指定したｍｏｄｅページに対して参照、設定を行う。
【００３１】
図３は、本発明の実施の形態１に係わるｍｏｄｅページの構成の一例を示す図である。
【００３２】
図３に示すように、Ｂｙｔｅ２〜Ｂｙｔｅ３で複数種類の光ディスクの記録及び再生を行うプログラムの組合わせを示す制御パラメータを指定する。
【００３３】
複数種類の光ディスクの記録及び再生を行うプログラムの組合わせを示す制御パラメータは、後に述べるように、制御パラメータの値と対応する光ディスク装置の機能をテーブルとしてメインメモリ１８に格納されているので、パーソナルコンピュータ１１１から内容を設定するコマンドを受信するとテーブルを参照して光ディスク装置１の機能を設定することができる。
【００３４】
図４は、本発明の実施の形態１に係わるメインメモリのマップの一例を示す図である。
【００３５】
図４に示すように、メインメモリ１８には、光ディスク装置１を制御するメインプログラム格納領域２０１と、メインプログラムから呼び出されるサブプログラム格納領域２０２と、制御パラメータ格納領域２０３を有し、サブプログラム格納領域２０２には、光ディスク１１に対し情報の記録処理をする複数のサブプログラムと光ディスク１１からの情報を再生する処理をする複数のサブプログラムを有している。例えば、ｓｕｂＲａはＣＤ−Ｒの読込サブプログラム、ｓｕｂＷａはＣＤ−Ｒへの記録サブプログラム、ｓｕｂＲｂはＤＶＤ−Ｒの読込サブプログラム、ｓｕｂＷｂはＤＶＤ−Ｒへの記録サブプログラムなど、対応する光ディスクの種類を有しており、以下ＣＤ−ＲＷ、ＤＶＤ−ＲＷ、ＤＶＤ＋ＲＷ、ＤＶＤ−ＲＡＭ、などの記録および再生のサブプログラムを格納している。
【００３６】
また、制御パラメータ格納領域２０３は、光ディスクの記録及び再生を行うプログラムの組合わせを示す制御パラメータを格納している。
【００３７】
図５は、本発明の実施の形態１に係わる制御パラメータと光ディスク装置の組合わせの関係を示した一例を示す図である。
【００３８】
図５では、制御パラメータの値と、対応する光ディスク装置の機能をテーブルとしており、図５に示すように、制御パラメータ値が１の場合には、光ディスク装置１はＣＤ−ＲＯＭとして機能し、制御パラメータ値が２の場合には、光ディスク装置１はＤＶＤ−ＲＯＭとして機能する。以下、図５のテーブルに示すように制御パラメータ値と対応光ディスク装置組合わせの機能をテーブルとしておき、メインメモリ１８に格納している。このテーブルはメインプログラム格納領域２０１の内部に格納しているが、テーブル格納領域を別に設定してもよい。光ディスク装置１を動作させるメインプログラムは、制御パラメータ格納領域２０３に格納されている制御パラメータ値を読み込んで、対応するサブプログラムを実行し、制御パラメータで設定した光ディスク装置の組合わせで機能するようにしている。
【００３９】
制御パラメータで設定した光ディスク１の対応機能の組合わせは、通常市販されている光ディスク装置に合わせてもよく、ＣＤ−ＲＯＭ、ＤＶＤ−ＲＯＭや、コンボドライブとよばれるＣＤ−Ｒ／ＲＷによる書き込みとＤＶＤ−ＲＯＭの読み込みに対応したドライブ、マルチドライブと呼ばれるＤＶＤ−Ｒ／−ＲＷ／−ＲＡＭの読み書きが可能な記録型ＤＶＤドライブとＤＶＤ−ＲＯＭの読み込みに対応したドライブ、スーパーマルチ（登録商標）ドライブと呼ばれるＤＶＤ±Ｒ／±ＲＷ／−ＲＡＭとすべての記録型メディアを読み書きに対応したドライブに設定すれば、選択した組合わせが使用者に判り易い。
【００４０】
図６は、本発明の実施の形態１に係わるコマンド発行処理制御の一例を示すフローチャートである。
【００４１】
図６において、パーソナルコンピュータから、光ディスク装置の種別を設定するコマンドを発行する処理が開始されると（Ｓ４００）、パーソナルコンピュータでユーティリティプログラムを実行し（Ｓ４０１）、光ディスク装置の種別を設定する制御パラメータを指定し（Ｓ４０２）、制御パラメータを有するコマンドを光ディスク装置に発行する（Ｓ４０３）。
【００４２】
実行するユーティリティプログラムは、パーソナルコンピュータに格納されたプログラムでもよいが、外部の媒体で供給するユーティリティプログラム、例えば光ディスクに記録したユーティリティプログラムとすれば、パーソナルコンピュータ管理者のみがユーティリティプログラムを実行し、光ディスク装置の種別を設定する制御パラメータを設定できるので、パーソナルコンピュータ使用者が設定することがなくなりセキュリティが高まる。
【００４３】
図７は、本発明の実施の形態１に係わる光ディスク装置の種別設定コマンド処理制御の一例を示すフローチャートである。
【００４４】
図７において、光ディスク装置１の種別を設定する動作が開始されると（Ｓ５００）、パーソナルコンピュータ（ＰＣ）よりコマンドを入力し（Ｓ５０１）、入力したコマンドが光ディスクの種別を設定するコマンドかどうか判定し（Ｓ５０２）、入力したコマンドが光ディスクの種別を設定するコマンドでなかったら処理を終了（Ｓ５０５）。入力したコマンドが光ディスクの種別を設定するコマンドであったら、光ディスク装置１の内部のメインメモリ１８に格納されている制御パラメータとコマンド入力による制御パラメータが同一かどうかを判定し（Ｓ５０３）、相違していたらコマンド入力による制御パラメータをメインメモリ１８に保存されている制御パラメータに書換え（Ｓ５０４）、処理を終了する（Ｓ５０５）。（Ｓ５０３）の判定で光ディスク装置１の内部のメインメモリ１８に格納されている制御パラメータとコマンド入力による制御パラメータが同一であれば処理を終了する（Ｓ５０５）。
【００４５】
パーソナルコンピュータ１１１から、光ディスク装置１の種別を設定するコマンドを入力するまで光ディスク装置１のメインメモリ１８に格納された制御パラメータで、光ディスク装置１は動作する。
【００４６】
図８は、本発明の実施の形態１に係わる光ディスク装置の記録再生動作の処理制御の一例を示すフローチャートである。
【００４７】
図８において、光ディスク装置１の動作が開始されると（Ｓ６００）、パーソナルコンピュータ１１１からコマンドを入力し（Ｓ６０１）、入力したコマンドが光ディスクの記録または再生コマンドかどうか判定し（Ｓ６０２）、記録または再生コマンドであれば、光ディスク制御パラメータを読込（Ｓ６０３）、制御パラメータで光ディスクへ記録または再生を行う（Ｓ６０４）。
【００４８】
入力したコマンドが光ディスク１１の記録または再生コマンドかどうか判定し（Ｓ６０２）相違していれば、記録または再生動作をせず処理を終了する（Ｓ６０５）。
【００４９】
本発明においては、パーソナルコンピュータ１１１の管理者のみが、光ディスク装置の種別を設定するユーティリティソフトを保有することで、光ディスク装置１を再生専用のＣＤ−ＲＯＭ、ＤＶＤ−ＲＯＭや、コンボドライブとよばれるＣＤ−Ｒ／ＲＷによる書き込みとＤＶＤ−ＲＯＭの読み込みに対応したドライブ、マルチドライブと呼ばれるＤＶＤ−Ｒ／−ＲＷ／−ＲＡＭの読み書きが可能な記録型ＤＶＤドライブとＤＶＤ−ＲＯＭの読み込みに対応したドライブ、スーパーマルチ（登録商標）ドライブと呼ばれるＤＶＤ±Ｒ／±ＲＷ／−ＲＡＭとすべての記録型メディアの読み書きに対応したドライブなどの仕様に変更することができ、パーソナルコンピュータの使用者に応じて光ディスク装置の機能を設定できるので、セキュリティ上有効である。
【００５０】
（実施の形態２）
以下、本発明の実施の形態２について詳細に説明する。本発明の実施の形態２においては、パーソナルコンピュータ１１１から光ディスク装置１へのコマンドを発行する例について説明を行うもので、本発明の実施の形態１と重複する処理は繰り返して述べない。
【００５１】
本発明の実施の形態２に係わる光ディスク装置１は、パーソナルコンピュータ１１１に接続された光ディスク装置１において、パーソナルコンピュータ１１１を電源投入後、立ち上げに動作するＢＩＯＳ（Ｂａｓｉｃ  Ｉｎｐｕｔ／Ｏｕｔｐｕｔ  Ｓｙｓｔｅｍ）のＢＩＯＳセットアップと呼ぶ画面で設定できるようにしており、このＢＩＯＳは、パーソナルコンピュータのメインメモリ１８に記録されており、パーソナルコンピュータ１１１の管理者がこのＢＩＯＳを書き換えが可能なようにしている。
【００５２】
パーソナルコンピュータ１１１の管理者は、パーソナルコンピュータ１１１の使用者に合わせて光ディスクの複数種類の光ディスクの記録及び再生を行うプログラムの組合わせを選択し設定することができる。
【００５３】
パーソナルコンピュータ１１１の管理者は、パーソナルコンピュータ１１１の電源投入時におけるＢＩＯＳの設定で、直接光ディスク装置１の設定を行う制御パラメータを入力してもよい。
【００５４】
図９は、本発明の実施の形態２に係わるコマンド発行処理制御の一例を示すフローチャートである。
【００５５】
図９において、パーソナルコンピュータ１１１の管理者が光ディスクの種別設定を開始すると（Ｓ７００）、パーソナルコンピュータの電源を投入し（Ｓ７０１）、パーソナルコンピュータのＢＩＯＳ設定モードとし（Ｓ７０２）、ＢＩＯＳ設定モードでＢＩＯＳアップデートモードかどうか判断し（Ｓ７０３）、ＢＩＯＳアップデートモードでなければ、光ディスク装置１の種別を設定する制御パラメータを選択し（Ｓ７０４）、光ディスク装置１に種別を変更するコマンドを発行する（Ｓ７０５）。ＢＩＯＳ設定モードでＢＩＯＳアップデートモードであれば、アップデートプログラムを設定し（Ｓ７０６）、アップデートを実行し（Ｓ７０７）、光ディスク装置１に種別を変更するコマンドを発行する（Ｓ７０５）。
【００５６】
なお、本発明の実施の形態２においては、パーソナルコンピュータのＢＩＯＳで変更する例で説明したが、ＯＳ（Ｏｐｅｒａｔｉｎｇ  Ｓｙｓｔｅｍ）での設定でもかまわない。
【産業上の利用可能性】
【００５７】
本発明は、パーソナルコンピュータに保存されたデータをポータブルな記録装置に記録保存し、不用意に外部に情報を流出させることを制限できるようになるので、ディスクに記録された情報を読み込み再生するディスク装置を搭載したディスク再生装置、たとえば、光ディスク装置、光磁気ディスク装置、ハードディスク装置など回転するリムーバブルな記録媒体を有する再生装置全般に利用可能である。
【図面の簡単な説明】
【００５８】
【図１】本発明の実施の形態１に係わる光ディスク装置の構成を示したブロック図
【図２】本発明の実施の形態１に係わるパーソナルコンピュータの発行するコマンドと光ディスク装置の転送状態を示した図
【図３】本発明の実施の形態１に係わるｍｏｄｅページの構成の一例を示す図
【図４】本発明の実施の形態１に係わるメインメモリのマップの一例を示す図
【図５】本発明の実施の形態１に係わる制御パラメータと光ディスク装置の組合わせの関係を示した一例を示す図
【図６】本発明の実施の形態１に係わるコマンド発行処理制御の一例を示すフローチャート
【図７】本発明の実施の形態１に係わる光ディスク装置の種別設定コマンド処理制御の一例を示すフローチャート
【図８】本発明の実施の形態１に係わる光ディスク装置の記録再生動作の処理制御の一例を示すフローチャート
【図９】本発明の実施の形態２に係わるコマンド発行処理制御の一例を示すフローチャート
【符号の説明】
【００５９】
１    光ディスク装置
１１    光ディスク
１２    光ピックアップモジュール
１３    スピンドルモータ
１４    フィードモータ
１５    サーボモジュール
１６    信号制御部
１７    ＣＰＵ
１８    メインメモリ
１９    バッファメモリ
２０    インターフェース
１１１    パーソナルコンピュータ
２０１    メインプログラム格納領域
２０２    サブプログラム格納領域
２０３    制御パラメータ格納領域
【図１】
0004462203.tif 000002
【図２】
0004462203.tif 000003
【図３】
0004462203.tif 000004
【図４】
0004462203.tif 000005
【図５】
0004462203.tif 000006
【図６】
0004462203.tif 000007
【図７】
0004462203.tif 000008
【図８】
0004462203.tif 000009
【図９】
0004462203.tif 000010